【手続補正書】
【提出日】平成28年10月28日(2016.10.28)
【手続補正１】
【補正対象書類名】特許請求の範囲
【補正対象項目名】全文
【補正方法】変更
【補正の内容】
【特許請求の範囲】
【請求項１】
方法であって、
単一のピクチャに合成された複数のピクチャを含むビデオ・ピクチャにアクセスする工程であって、前記ビデオ・ピクチャが、受け取られたビデオ・ストリームの一部である、前記工程と、
前記受け取られたビデオ・ストリームの一部である情報にアクセスする工程であって、前記アクセスされた情報は、前記アクセスされたビデオ・ピクチャにおける前記複数のピクチャがどのようにして合成されるかを示し、前記アクセスされた情報は、付加拡張情報（ＳＥＩ）メッセージに含まれ、空間インターリーブ情報及びサンプリング情報を含み、前記空間インターリーブ情報は、空間インターリーブ・タイプを示し、前記空間インターリーブ・タイプは、前記単一のピクチャを形成するうえで前記複数のピクチャに適用される、サイドバイサイド・インターリーブ、上下インターリーブ、行単位インターリーブ、列単位インターリーブ、又はチェッカーボード・インターリーブであり、前記サンプリング情報は、別の解像度に前記複数のピクチャそれぞれをアップサンプリングするためにアップサンプリング・フィルタに関する１つ又は複数のパラメータを示し、前記アップサンプリング・フィルタに関する１つ又は複数のパラメータはフィルタリング方向の表示を含み、前記空間インターリーブ情報は関係情報を更に含み、前記関係情報は、前記複数のピクチャが画像のステレオ・ビューであること、前記複数のピクチャが関連していないこと、前記複数のピクチャが２Ｄ画像及びその関連した深度マップ（２Ｄ＋Ｚ）であること、前記複数のピクチャが、２Ｄ＋Ｚの複数の組（ＭＶＤ）であること、前記複数のピクチャが、層状深度ビデオ形式（ＬＤＶ）で画像を表すこと、又は、前記複数のピクチャが、２つのＬＤＶ（ＤＥＳ）の組における画像を表すこと、を示し、前記空間インターリーブ・タイプは、第１の構文要素によって示され、前記関係情報は、第２の構文要素によって示される、前記工程と、
前記複数のピクチャの少なくとも１つの復号された表現を供給するよう前記ビデオ・ピクチャを復号する工程と、
を含む、前記方法。
【請求項２】
請求項１記載の方法であって、前記復号する工程は、前記空間インターリーブ情報及び前記サンプリング情報に基づいて行われる、前記方法。
【請求項３】
請求項１記載の方法であって、前記アクセスされた情報は、更に、カメラ・パラメータ情報を含み、前記カメラ・パラメータ情報は、カメラの焦点距離、基線距離、少なくとも１つのカメラ位置、前記カメラと、前記複数のピクチャにおける画像との間の最小距離を示すためのＺｎｅａｒパラメータ、前記カメラと前記複数のピクチャ内の前記画像間の最大距離を示すためのＺｆａｒパラメータ、３×３内部マトリクス、３×３回転マトリクス、及び３Ｄ変換ベクトルのうちの少なくとも１つを含み、前記復号する工程は更に、前記カメラ・パラメータ情報に基づく、前記方法。
【請求項４】
請求項１記載の方法であって、前記サンプリング情報は、サンプリング表示、サンプリング係数、サンプリング・フィルタ・タイプ、フィルタ係数の数、及び１つ又は複数のサンプリング・フィルタ係数値のうちの少なくとも１つを含む、前記方法。
【請求項５】
請求項４記載の方法であって、前記サンプリング表示は、前記サンプリング情報がアップサンプリングに関係するかダウンサンプリングに関係するかを示す、前記方法。
【請求項６】
請求項４記載の方法であって、前記サンプリング・フィルタ・タイプは、２次元対称ＦＩＲフィルタ、補間フィルタ、双線形フィルタ、キュービック・フィルタ、スプライン・フィルタ、ウィーナー・フィルタ、最小二乗フィルタ、６タップＡＶＣフィルタ、４タップＳＶＣフィルタ、２Ｄのカストマイズされたフィルタを含むカスタム・フィルタ、ＩＤフィルタ、又は非線形フィルタとなるサンプリング・フィルタのタイプを示す、前記方法。
【請求項７】
請求項４記載の方法であって、前記復号する工程は、前記アクセスされた情報に含まれるダウンサンプリング・フィルタ係数値から１つ又は複数のアップサンプリング・フィルタ係数値の組を導き出す工程を更に含む、前記方法。
【請求項８】
請求項１記載の方法であって、前記アクセスされた情報に基づいて、前記復号された表現の更なる処理のための出力として前記復号された表現及び前記アクセスされた情報を提供する工程を更に含む、前記方法。
【請求項９】
請求項１記載の方法であって、前記アップサンプリング・フィルタに関係する前記１つ又は複数のパラメータは、前記単一のピクチャに前記複数のピクチャを合成するよう前記複数のピクチャのうちの１つ又は複数のダウンサンプリングに使用するフィルタ・パラメータの表示を含む、前記方法。
【請求項１０】
請求項９記載の方法であって、ダウンサンプリングに使用されるフィルタ・パラメータの表示は、前記復号された表現を供給するためにアップサンプリングにおいて使用するアップサンプル・フィルタ・パラメータを求めるうえで使用可能である、前記方法。
【請求項１１】
ビデオ信号構造を記憶させたプロセッサ読み取り可能な媒体であって、
ビデオ・ピクチャの符号化を含む符号化ピクチャ部であって、前記ビデオ・ピクチャが単一のピクチャに合成された複数のピクチャを含む前記符号化ピクチャ部と、前記アクセスされたビデオ・ピクチャにおける前記複数のピクチャがどのようにして合成されるかを示す生成された情報の符号化を含むシグナリング部とを備え、
前記生成された情報は、付加拡張情報（ＳＥＩ）メッセージに含まれ、空間インターリーブ情報及びサンプリング情報を含み、
前記空間インターリーブ情報は、空間インターリーブを示し、前記空間インターリーブは、前記単一のピクチャを形成するうえで前記複数のピクチャに適用される、サイドバイサイド・インターリーブ、上下インターリーブ、行単位インターリーブ、列単位インターリーブ、又はチェッカーボード・インターリーブであり、
前記サンプリング情報は、別の解像度に前記複数のピクチャそれぞれをアップサンプリングするためにアップサンプリング・フィルタに関する１つ又は複数のパラメータを示し、前記アップサンプリング・フィルタに関する１つ又は複数のパラメータはフィルタリング方向の表示を含み、
前記空間インターリーブ情報は関係情報を更に含み、前記関係情報は、前記複数のピクチャが画像のステレオ・ビューであること、前記複数のピクチャが関連していないこと、前記複数のピクチャが２Ｄ画像及びその関連した深度マップ（２Ｄ＋Ｚ）であること、前記複数のピクチャが、２Ｄ＋Ｚの複数の組（ＭＶＤ）であること、前記複数のピクチャが、層状深度ビデオ形式（ＬＤＶ）で画像を表すこと、又は、前記複数のピクチャが、２つのＬＤＶ（ＤＥＳ）の組における画像を表すこと、を示し、
前記生成された情報は、前記符号化されたビデオ・ピクチャを復号するうえで使用するための情報を提供する、前記プロセッサ読み取り可能な媒体。
【請求項１２】
方法であって、
単一のピクチャに合成された複数のピクチャを含むビデオ・ピクチャを符号化する工程と、
アクセスされたビデオ・ピクチャにおける前記複数のピクチャがどのようにして合成されるかを示す情報を生成する工程であって、前記生成された情報は、付加拡張情報（ＳＥＩ）メッセージに含まれ、空間インターリーブ情報及びサンプリング情報を含み、前記空間インターリーブ情報は、空間インターリーブを示し、前記空間インターリーブは、前記単一のピクチャを形成するうえで前記複数のピクチャに適用される、サイドバイサイド・インターリーブ、上下インターリーブ、行単位インターリーブ、列単位インターリーブ、又はチェッカーボード・インターリーブであり、前記サンプリング情報は、別の解像度に前記複数のピクチャそれぞれをアップサンプリングするためにアップサンプリング・フィルタに関する１つ又は複数のパラメータを示し、前記アップサンプリング・フィルタに関する１つ又は複数のパラメータはフィルタリング方向の表示を含み、前記空間インターリーブ情報は関係情報を更に含み、前記関係情報は、前記複数のピクチャが画像のステレオ・ビューであること、前記複数のピクチャが関連していないこと、前記複数のピクチャが２Ｄ画像及びその関連した深度マップ（２Ｄ＋Ｚ）であること、前記複数のピクチャが、２Ｄ＋Ｚの複数の組（ＭＶＤ）であること、前記複数のピクチャが、層状深度ビデオ形式（ＬＤＶ）で画像を表すこと、又は、前記複数のピクチャが、２つのＬＤＶ（ＤＥＳ）の組における画像を表すこと、を示す、前記工程と、
前記符号化されたビデオ・ピクチャ及び前記生成された情報を含むビットストリームを形成する工程であって、前記生成された情報は、前記符号化されたビデオ・ピクチャを処理するうえで使用するための情報を提供する、前記工程と、
を含む、前記方法。
【請求項１３】
請求項１２記載の方法であって、前記サンプリング情報は、サンプリング表示、サンプリング係数、サンプリング・フィルタ・タイプ、フィルタ係数の数、及び１つ又は複数のサンプリング・フィルタ係数値のうちの少なくとも１つを含む、前記方法。
【請求項１４】
請求項１３記載の方法であって、前記サンプリング表示は、前記サンプリング情報がアップサンプリングに関係するかダウンサンプリングに関係するかを示す、前記方法。
【請求項１５】
請求項１３記載の方法であって、前記サンプリング・フィルタ・タイプは、２次元対称ＦＩＲフィルタ、補間フィルタ、双線形フィルタ、キュービック・フィルタ、スプライン・フィルタ、ウィーナー・フィルタ、最小二乗フィルタ、６タップＡＶＣフィルタ、４タップＳＶＣフィルタ、２Ｄのカストマイズされたフィルタを含むカスタム・フィルタ、ＩＤフィルタ、又は非線形フィルタとなるのサンプリング・フィルタのタイプを示す、前記方法。
【請求項１６】
請求項１３記載の方法であって、前記復号する工程は、前記アクセスされた情報に含まれるダウンサンプリング・フィルタ係数値から１つ又は複数のアップサンプリング・フィルタ係数値の組を導き出す工程を更に含む、前記方法。
【請求項１７】
装置であって、
単一のピクチャに合成された複数のピクチャを含むビデオ・ピクチャを符号化する手段と、
アクセスされたビデオ・ピクチャにおける前記複数のピクチャがどのようにして合成されるかを示す情報を生成する手段であって、前記生成された情報は、付加拡張情報（ＳＥＩ）メッセージに含まれ、空間インターリーブ情報及びサンプリング情報を含み、前記空間インターリーブ情報は、空間インターリーブを示し、前記空間インターリーブは、前記単一のピクチャを形成するうえで前記複数のピクチャに適用される、サイドバイサイド・インターリーブ、上下インターリーブ、行単位インターリーブ、列単位インターリーブ、又はチェッカーボード・インターリーブであり、前記サンプリング情報は、別の解像度に前記複数のピクチャそれぞれをアップサンプリングするためにアップサンプリング・フィルタに関する１つ又は複数のパラメータを示し、前記アップサンプリング・フィルタに関する１つ又は複数のパラメータはフィルタリング方向の表示を含み、前記空間インターリーブ情報は関係情報を更に含み、前記関係情報は、前記複数のピクチャが画像のステレオ・ビューであること、前記複数のピクチャが関連していないこと、前記複数のピクチャが２Ｄ画像及びその関連した深度マップ（２Ｄ＋Ｚ）であること、前記複数のピクチャが、２Ｄ＋Ｚの複数の組（ＭＶＤ）であること、前記複数のピクチャが、層状深度ビデオ形式（ＬＤＶ）で画像を表すこと、又は前記複数のピクチャが、２つのＬＤＶ（ＤＥＳ）の組における画像を表すこと、を示す、前記手段と、
前記符号化されたビデオ・ピクチャ及び前記生成された情報を含むビットストリームを形成する手段であって、前記生成された情報は、前記符号化されたビデオ・ピクチャを処理するうえで使用するための情報を提供する、前記手段とを備える、前記装置。
【請求項１８】
装置であって、
ビデオ・ピクチャの符号化を含む符号化ピクチャ部を送信する手段であって、前記ビデオ・ピクチャが単一のピクチャに合成された複数のピクチャを含む符号化ピクチャ部を送信する、前記手段と、
前記アクセスされたビデオ・ピクチャにおける前記複数のピクチャがどのようにして合成されるかを示す生成された情報の符号化を含むシグナリング部を送信する手段とを備え、
前記生成された情報は、付加拡張情報（ＳＥＩ）メッセージに含まれ、空間インターリーブ情報及びサンプリング情報を含み、
前記空間インターリーブ情報は、空間インターリーブを示し、前記空間インターリーブは、前記単一のピクチャを形成するうえで前記複数のピクチャに適用される、サイドバイサイド・インターリーブ、上下インターリーブ、行単位インターリーブ、列単位インターリーブ、又はチェッカーボード・インターリーブであり、
前記サンプリング情報は、別の解像度に前記複数のピクチャそれぞれをアップサンプリングするためにアップサンプリング・フィルタに関する１つ又は複数のパラメータを示し、前記アップサンプリング・フィルタに関する１つ又は複数のパラメータはフィルタリング方向の表示を含み、
前記空間インターリーブ情報は関係情報を更に含み、前記関係情報は、前記複数のピクチャが画像のステレオ・ビューであること、前記複数のピクチャが関連していないこと、前記複数のピクチャが２Ｄ画像及びその関連した深度マップ（２Ｄ＋Ｚ）であること、前記複数のピクチャが、２Ｄ＋Ｚの複数の組（ＭＶＤ）であること、前記複数のピクチャが、層状深度ビデオ形式（ＬＤＶ）で画像を表すこと、又は、前記複数のピクチャが、２つのＬＤＶ（ＤＥＳ）の組における画像を表すこと、を示し、
前記生成された情報は、前記符号化されたビデオ・ピクチャを復号するうえで使用するための情報を提供する、前記装置。